(57)【要約】【課題】フォルダに取り扱うことができない別機器のファイルが格納されているとき、当該フォルダを削除しようとしたとき、警告を表示し、取扱い上の信頼を確保する。【解決手段】  ネットワークを介して接続される複数のデジタル記録機器と、前記複数のデジタル記録機器の記録媒体に記録されているファイルの複数をフォルダで管理するフォルダ管理機能と、フォルダ管理機能で管理されているフォルダのフォルダ名を表示器の画面に表示するフォルダ表示機能と、フォルダ単位で、フォルダに含まれる全ファイルを削除可能な機能と、フォルダが選択され削除指定が行われたとき、このフォルダ内に取り扱うことができないファイルが含まれている場合、警告表示を行う機能とを備える。【選択図】    図１７
2006073159.tif 000002
【特許請求の範囲】
【請求項１】
ネットワークを介して接続されたデジタル記録機器に記録されている複数のファイルをフォルダ内に格納して管理するフォルダ管理機能と、
前記フォルダ管理機能で管理されているフォルダのフォルダ名を表示器の画面に表示するフォルダ表示機能と、
フォルダ単位で、フォルダに含まれる全ファイルを削除可能な機能と、
フォルダが選択され削除指定が行われたとき、このフォルダ内に取り扱うことができないファイルが含まれている場合、警告表示を行う機能と
を具備したことを特徴とする放送受信装置。
【請求項２】
前記取り扱うことができないファイルは、映像処理部または音声処理部で再生できないデータを含むファイルであることを特徴とする請求項１記載の放送受信装置。
【請求項３】
前記前記取り扱うことができないファイルは、アプリケーションデータ、あるいはワードデータであることを特徴とする請求項１記載の放送受信装置。
【請求項４】
前記複数のデジタル記録機器は、半導体メモリ、ハードディスクを含むことを特徴とする請求項１記載の放送受信装置。
【請求項５】
前記警告表示を行う機能は、さらに警告対象となったフォルダに含まれるファイルをファイル一覧表示する手段を含むことを特徴とする請求項１記載の放送受信装置。
【請求項６】
前記表示器の表示画面に複数のフォルダ名と複数のファイル名とを混在して表示する機能をさらに有し、前記取り扱うことができないファイルのファイル名は、取り扱うことができるファイル名に比べてトーンダウン表示することを特徴とする請求項１記載の放送受信装置。
【請求項７】
ネットワークを介して接続されたデジタル記録機器に記録されている複数のファイルをフォルダ内に格納して管理するフォルダ管理機能と、
前記特定されたデジタル記録機器に記録されているフォルダ及びファイルのうち、前記フォルダ管理機能で管理されているフォルダのフォルダ名を表示器の画面に表示するとともに、取り扱いできるファイルのファイル名のみを表示するファイル及びフォルダ表示機能と、
フォルダ単位で、フォルダに含まれる全ファイルを削除可能な機能と、
フォルダが選択され削除指定が行われたとき、このフォルダ内に取り扱うことができないファイルが含まれている場合、警告表示を行う機能と
を具備したことを特徴とする放送受信装置。
【請求項８】
前記取り扱うことができないファイルは、映像処理部または音声処理部で再生できないデータを含むファイルであることを特徴とする請求項７記載の放送受信装置。
【請求項９】
前記前記取り扱うことができないファイルは、アプリケーションデータ、あるいはワードデータであることを特徴とする請求項７記載の放送受信装置。
【請求項１０】
前記複数のデジタル記録機器は、半導体メモリ、ハードディスクを含むことを特徴とする請求項７記載の放送受信装置。
【発明の詳細な説明】
【技術分野】
【０００１】
この発明は、例えばデジタルテレビジョン放送等を受信する放送受信装置の改良に関し、特にフォルダ管理機能に特徴を備えたものである。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
さらに、現在では、１台のデジタル放送受信装置に対して、複数のデジタル記録機器を接続してネットワーク化することにより、デジタル放送受信装置が、任意のデジタル記録機器を指定して番組の記録を行なわせたり、任意のデジタル記録機器を指定して番組の再生を行なわせたりすることができる。
【０００５】
ところで、このように、複数のデジタル記録機器をネットワーク接続可能としたデジタル放送受信装置においては、各デジタル記録機器に記録されている番組をユーザが容易に管理することができ、所望の記録番組を迅速に検索して再生できるようにすることが重要となる。
【特許文献１】特開平１０−１３６２７５号公報
【発明の開示】
【発明が解決しようとする課題】
【０００６】
上記のように複数のデジタル記録機器をネットワーク接続可能としたデジタル放送受信装置においては、あるデジタル記録機器のフォルダが、デジタルテレビジョン放送受信装置とパーソナルコンピュータとで共有されることも考えられる。一方、デジタルテレビジョン放送受信装置側は、映像データを単純に記録する、あるいは単純に再生するというだけでなく、フォルダの管理、フォルダ内に格納されるファイルの管理も要求されている。
【０００７】
フォルダ管理機能の中にはフォルダ毎の削除機能もある。またファイルの管理機能としてはファイル毎の削除機能もある。さらにまた各ファイルにはファイル削除禁止情報を含むものもある。
【０００８】
さらに上記のように各種の記録機器が接続可能な場合、機器毎に記録されているファイルを管理するよりも、機器全体にわたって、たとえばジャンルや記録内容の種類毎にフォルダで管理する機能も要望される。
【０００９】
しかし、ここで問題となるのは、あるフォルダが削除指定されたとき、このフォルダ内に例えばパーソナルコンピュータによるファイル（放送受信装置では扱わないファイル）が格納されていることもある。すると、削除指定されたフォルダとともに、デジタル放送受信装置では扱わない、パーソナルコンピュータ用のファイルまで削除されてしまうという事故が生じる。
【００１０】
またあるフォルダを開きフォルダ内のファイル名を表示したとき、放送受信装置で取り扱うことができるファイルと、取り扱うことができないファイルが混在することがある。このような場合、ユーザが取り扱うことができないファイルを開こうとして、クリック操作を行っても応答しない場合があり、ユーザの混乱を招くことがある。
【００１１】
そこで、この発明は上記事情を考慮してなされたもので、多くのデジタル記録機器が接続可能であり、これらデジタル記録機器に記録されているファイルを、共通のフォルダで管理できるようにしたとき、フォルダの削除指定が行われたときの事故を防止できるようにした放送受信装置及び放送受信方法を提供することを目的とする。またこの発明は、基本的には取り扱うことができる機器及びファイルを一覧表示できるが、取り扱うことができるファイルとそうでないファイルが存在したとき、その識別表示をも得られるようにした放送受信装置を提供することを目的とする。
【００１２】
またこの発明は、フォルダに取り扱うことができない別機器のファイルが格納されているとき、当該フォルダを削除しようとしたとき、警告を表示するようにし、取扱い上の信頼を確保できるようにした、放送受信装置及び放送受信方法を提供することを目的とする。
【課題を解決するための手段】
【００１３】
この発明に係る放送受信装置は、ネットワークを介して接続されるたデジタル記録機器の記録媒体に記録されているファイルの複数をフォルダで管理するフォルダ管理機能と、フォルダ管理機能で管理されているフォルダのフォルダ名を表示器の画面に表示するフォルダ表示機能と、フォルダ単位で、フォルダに含まれる全ファイルを削除可能な機能と、フォルダが選択され削除指定が行われたとき、このフォルダ内に取り扱うことができないファイルが含まれている場合、警告表示を行う機能とを有する。
【００１４】
またこの放送受信装置は、ファイル一覧を表示したとき、接続機器の一覧を表示したときなどに、この装置自体で制御管理可能であり、取り扱うことができるファイル、機器などを一覧表示する手段を有する。
【発明の効果】
【００１５】
上記の手段により、フォルダ削除を行う際に、取り扱うことができないファイルを誤って削除するようなことがない。
【発明を実施するための最良の形態】
【００１６】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１７】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１８】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１９】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００２０】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００２１】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００２２】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことが可能となる。
【００２３】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２４】
なお、ＤＶＤレコーダ２９については、第２のＬＡＮ端子２２を介して通信されるデジタル情報が制御系の情報であるため、デジタルテレビジョン放送受信装置１１との間でアナログの映像及び音声情報を伝送するために、専用のアナログ伝送路３０を設ける必要がある。
【００２５】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２６】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等を接続し、これらの機器と情報伝送を行なうために使用される。
【００２７】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２８】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２９】
そして、このチューナ４５で選局された放送信号は、ＰＳＫ（Phase Shift Keying）復調器４６に供給されて、デジタルの映像信号及び音声信号に復調された後、信号処理部４７に出力される。
【００３０】
また地上波アナログ信号を受信するアナログチューナ６８も設けられている。アナログチューナ６８で受信された信号は、アナログ復調器６９で復調され信号処理部４７に出力される。
【００３１】
また、地上デジタル放送受信用のアンテナ４８で受信した地上デジタルテレビジョン放送信号は、入力端子４９を介して地上デジタル放送用のチューナ５０に供給されることにより、所望のチャンネルの放送信号が選局される。
【００３２】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３３】
ここで、上記信号処理部４７は、ＰＳＫ復調器４６から供給されたデジタルの映像信号及び音声信号と、ＯＦＤＭ復調器５１から供給されたデジタルの映像信号及び音声信号と、アナログ復調器６９から供給された映像信号及び音声信号と、さらにライン入力端子からの映像信号及び音声信号とに対して、選択的に所定のデジタル信号処理を施し、グラフィック処理部５２及び音声処理部５３に出力している。
【００３４】
このうち、グラフィック処理部５２は、信号処理部４７から供給されるデジタルの映像信号に、ＯＳＤ（On Screen Display）信号生成部５４出生成されるＯＳＤ信号を重畳して出力する機能を有する。また、このグラフィック処理部５２は、信号処理部４７の出力映像信号と、ＯＳＤ信号生成部５４の出力ＯＳＤ信号とを選択的に出力すること、また、両出力をそれぞれ画面の半分を構成するように組み合わせて出力することができる。
【００３５】
そして、グラフィック処理部５２から出力されたデジタルの映像信号は、映像処理部５５に供給される。この映像処理部５５は、入力されたデジタルの映像信号を、前記映像表示器１４で表示可能なフォーマットのアナログ映像信号に変換し、映像表示器１４に出力して映像表示させる。
【００３６】
また、上記音声処理部５３は、入力されたデジタルの音声信号を、前記スピーカ１５で再生可能なフォーマットのアナログ音声信号に変換し、スピーカ１５に出力して音声再生させる。
【００３７】
ここで、このデジタルテレビジョン放送受信装置１１は、上記した各種の受信動作を含むその全ての動作を制御部５６によって統括的に制御されている。この制御部５６は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３８】
この場合、制御部５６は、主として、そのＣＰＵが実行する制御プログラムを格納したＲＯＭ（Read Only Memory）５７と、該ＣＰＵに作業エリアを提供するＲＡＭ（Random Access Memory）５８と、各種の設定情報及び制御情報等が格納される不揮発性メモリ５９とを利用している。
【００３９】
また、この制御部５６は、カードＩ／Ｆ（Interface）６０を介して、前記第１のメモリカード１９が装着可能なカードホルダ６１に接続されている。これによって、制御部５６は、カードホルダ６１に装着された第１のメモリカード１９と、カードＩ／Ｆ６０を介して情報伝送を行なうことができる。
【００４０】
さらに、上記制御部５６は、カードＩ／Ｆ６２を介して、前記第２のメモリカード２０が装着可能なカードホルダ６３に接続されている。これにより、制御部５６は、カードホルダ６３に装着された第２のメモリカード２０と、カードＩ／Ｆ６２を介して情報伝送を行なうことができる。
【００４１】
また、上記制御部５６は、通信Ｉ／Ｆ６４を介して第１のＬＡＮ端子２１に接続されている。これにより、制御部５６は、第１のＬＡＮ端子２１に接続されたＬＡＮ対応のＨＤＤ２５と、通信Ｉ／Ｆ６４を介して情報伝送を行なうことができる。この場合、制御部５６は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４２】
さらに、上記制御部５６は、通信Ｉ／Ｆ６５を介して第２のＬＡＮ端子２２に接続されている。これにより、制御部５６は、第２のＬＡＮ端子２２に接続された各機器（図１参照）と、通信Ｉ／Ｆ６５を介して情報伝送を行なうことができる。
【００４３】
また、上記制御部５６は、ＵＳＢ Ｉ／Ｆ６６を介して前記ＵＳＢ端子２３に接続されている。これにより、制御部５６は、ＵＳＢ端子２３に接続された各機器（図１参照）と、ＵＳＢ Ｉ／Ｆ６６を介して情報伝送を行なうことができる。
【００４４】
さらに、上記制御部５６は、ｉ．Link Ｉ／Ｆ６７を介してｉ．Link端子２４に接続されている。これにより、制御部５６は、ｉ．Link端子２４に接続された各機器（図１参照）と、ｉ．Link Ｉ／Ｆ６７を介して情報伝送を行なうことができる。
【００４５】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ等が設けられている。
【００４６】
図４は、このデジタルテレビジョン放送受信装置１１が、その端子２１〜２４に接続された各機器のうちのデジタル記録機器に番組を記録する動作を説明するフローチャートを示している。すなわち、番組の記録が要求されることにより処理が開始（ステップＳ１）されると、制御部５６は、ステップＳ２で、放送信号から取得したＥＰＧ（Electronic Program Guide）情報に基づいて、図５に示すような番組表を映像表示器１４に表示させる。
【００４７】
すると、ユーザは、ステップＳ３で、表示された番組表に基づいて所望の番組の記録予約設定を実行する。この記録予約設定では、記録すべき番組を番組表から選択するとともに、その番組を記録させるデジタル記録機器を選択設定することも行なわれる。
【００４８】
そして、制御部５６は、ステップＳ４で、記録予約した設定時間に達した場合、予約設定された番組を予約設定されたデジタル記録機器に記録するように、記録動作を実行する。
【００４９】
その後、制御部５６は、ステップＳ５で、番組記録動作が正常に完了したか否かを判別し、正常に完了したと判断された場合（ＹＥＳ）、ステップＳ６で、記録を行なったデジタル記録機器を特定するための機器情報（機器ＩＤ、機器名、共有フォルダ名等）と、その記録番組に関するイベント情報（イベントＩＤ、チャンネル番号、タイトル、内容説明、ジャンル、記録範囲、画質モード等）とを前記不揮発性メモリ５９に記録し、処理を終了（ステップＳ７）する。
【００５０】
また、上記ステップＳ５で番組記録動作が正常に完了しなかったと判断された場合（ＮＯ）、制御部５６は、ステップＳ８で、番組記録動作が正常に完了しなかった旨のメッセージを映像表示器１４に表示させて、処理を終了（ステップＳ７）する。
【００５１】
以上の記録動作により、ユーザは、デジタルテレビジョン放送受信装置１１の各端子２１〜２４に接続されている複数のデジタル記録機器を任意に選択して、番組を記録させていくことが可能になる。
【００５２】
図６は、上記のようにして、複数のデジタル記録機器に記録された種々の番組の中から、所望の番組を迅速に検索して再生する動作を説明するためのフローチャートを示している。すなわち、処理が開始（ステップＳ９）されると、ユーザは、ステップＳ１０で、リモートコントローラ１７のfaceネットキー１７ｊを操作する。
【００５３】
すると、制御部５６は、ステップＳ１１で、faceネット（ナビゲーション）を起動させ、図７に示すようなナビゲーションメニューを映像表示器１４に表示させる。このナビゲーションメニューでは、「テレビ」、「録画番組」、「写真」、「インターネット」、「Ｅメール」の５つの項目が選択可能に設けられる。選択された項目は、画面上では他の項目と色を変えて表示されるが、図７では、「テレビ」が選択された状態をハッチングにより示している。
【００５４】
ここで、ユーザは、ステップＳ１２で、リモートコントローラ１７のカーソルキー１７ｆを操作して「録画番組」の項目を選択する。すると、制御部５６は、図８にハッチングで示すように、「録画番組」の項目を選択した状態となる。
【００５５】
この状態で、ユーザが、ステップＳ１３で、リモートコントローラ１７の決定キー１７ｇを操作すると、制御部５６は、図９に示すように、最近録画した番組の一覧を映像表示器１４に表示させる。この番組一覧では、記録されている番組を示す情報として、タイトル、放送チャンネル、記録日時、曜日、時間、ジャンル等が表示されている。
【００５６】
この最近録画した番組の一覧は、図４で説明した番組の予約記録時に不揮発性メモリ５９に記録された、記録を行なったデジタル記録機器を特定する機器情報と記録番組に関するイベント情報とを参照することで作成される。この最近録画した番組の一覧では、記録したデジタル記録機器を問わず、最新の記録番組から溯って最大で３５個の番組を示す情報を一覧表示することが可能である。図９では、７つの番組が一覧表示されているが、カーソルキー１７ｆを操作することにより表示をスクロールさせて３５個の番組一覧を見ることが可能である。また、リモートコントローラ１７のページ切換キー１７ｉを操作すれば、一覧表示されている７つの番組を一気にスキップさせることが可能である。
【００５７】
そして、ユーザが、ステップＳ１４で、最近録画した番組の一覧から、リモートコントローラ１７のカーソルキー１７ｆを操作して所望の番組を示す情報を選択し、決定キー１７ｇを操作して決定すると、制御部５６は、ステップＳ１５で、不揮発性メモリ５９に記録された情報から、その選択決定された番組が記録されているデジタル記録機器を特定し、その番組が再生可能であるか否かを判別する。
【００５８】
この判別は、例えば、デジタルテレビジョン放送受信装置１１と再生要求された番組を記録しているデジタル記録機器とが接続されているか否か、再生要求された番組を記録しているデジタル記録機器の電源が投入されているか否か、対象となるデジタル記録機器にその番組がまだ記録されているか否か等々、記録時と再生時とにおける諸条件を総合的に比較して再生可能か否かを判別する。
【００５９】
そして、上記ステップＳ１５で再生可能であると判断された場合（ＹＥＳ）、制御部５６は、ステップＳ１６で、対象となるデジタル記録機器から再生要求された番組の情報を読み出し、再生するように制御して、処理を終了（ステップＳ１７）する。
【００６０】
また、上記ステップＳ１５で再生可能でないと判断された場合（ＮＯ）、制御部５６は、ステップＳ１８で、要求された番組の再生が不可能である旨のメッセージを映像表示器１４に表示させて、処理を終了（ステップＳ１７）する。
【００６１】
上記した再生動作によれば、記録したデジタル記録機器を問わず、最新の記録番組から溯って最大で３５個の記録された番組を一覧表示するナビゲーション機能を持つようにしたので、複数のデジタル記録機器に記録されている番組をユーザが容易に管理することが可能となる。このため、一覧表示された番組から所望の番組をカーソルキー１７ｆで選択し決定キー１７ｇで決定することにより、迅速に検索して再生することが可能となる。
【００６２】
なお、複数のデジタル記録機器に記録した番組を全て一覧表示することは、接続されるデジタル記録機器の増加や、記録した番組数の増加を考慮すると、実用的でなくなる。この実施の形態のように、最新の記録番組から溯って最大で３５個程度までの番組を一覧表示することが、ユーザにとって実質的な支障の生じ難い実用に適した設定となる。
【００６３】
ここで、上記したデジタルテレビジョン放送受信装置１１は、写真再生機能を有している。すなわち、リモートコントローラ１７のfaceネットキー１７ｊを操作して表示させた図７に示すナビゲーションメニューから、「写真」の項目を選択し決定することにより、例えば前記カードホルダ６１に装着された第１のメモリカード１９であるＳＤメモリカードに記録されている複数の写真を、一覧表示させることができる。この場合、表示対象となる写真が記録されているデジタル記録媒体やデジタル記録機器（デジタルカメラ）をユーザが指定する必要がある。その結果、図１０に示すような写真一覧が表示される。
【００６４】
さらに、リモートコントローラ１７のページ切換キー１７ｉを操作することにより、映像表示器１４の画面に表示されている映像を、ページ単位で切り換えることができる。すなわち、リモートコントローラ１７のカーソルキー１７ｆは、画面上でカーソルを上下左右に移動させるために、上下左右の各方向に対応した４つのキーで構成されている。そして、ページ切換キー１７ｉも、４つのカーソルキー１７ｆにそれぞれ対応した４つのキーで構成されている。
【００６５】
つまり、例えば、カーソルを上方向に移動させるためのカーソルキー１７ｆに対応するページ切換キー１７ｉを操作することにより、現在の表示画面がその上側に存在する映像に切り換えられることになる。このページ切り換え機能により、カーソルキー１７ｆを操作して画面をスクロールさせることに比べて、所望の画面を迅速に選択することが可能となる。
【００６６】
また、ページ切換キー１７ｉは、カーソルキー１７ｆに対応させて設置されるので、移動方向を容易に認識することができる。このページ切換キー１７ｉによって切換可能な画面としては、例えば、図５に示した番組表、図９に示した最近録画した番組の一覧表等がある。
【００６７】
さらに、上記リモートコントローラ１７の入力切換キー１７ｂは、アナログ系のビデオ入力端子を切り換えるキーで、＋側と−側とに選択的に操作可能となっている。
【００６８】
さらに、このデジタルテレビジョン放送受信装置１１は、チャンネル、ジャンル、キーワードのお好み情報をユーザが入力することにより、入力した時点から１週間先までのお好み情報に対応した番組を自動的に検索し、図１１  に示すように、お好み番組一覧として画面表示する。このお好み番組一覧から特定の番組を選択して記録予約設定することも可能である。
【００６９】
このお好み番組一覧は、図７に示したナビゲーションメニューの「テレビ」の項目をカーソルキー１７ｆで選択し決定キー１７ｇで決定することにより表示される。そして、このお好み番組の検索では、チャンネル、ジャンル、キーワードの組み合わせをＡ〜Ｄの４種類設定することができる。
【００７０】
例えば、組み合わせＡでは、ジャンルがサッカー、キーワードがワールド、チャンネルがＮＨＫであり、組み合わせＢでは、ジャンルが野球、キーワードが日本、チャンネルが日本テレビというように設定できる。そして、お好み番組一覧では、図１１に示すお好み番組一覧の中で右側の列に示すように、検索した各番組に対して、Ａ〜Ｄのどの組み合わせによって検索されたかが示されるようになっている。お好み情報が重なった番組に対しては、Ａ〜Ｄが複数個表示される。
【００７１】
また、このデジタルテレビジョン放送受信装置１１は、図５に示した番組表の表示状態で、リモートコントローラ１７の黄色のカラーキー１７ｍを操作することにより、図１２に示すような、キーワード検索画面を表示する。このキーワード検索画面では、ジャンル、キーワード、日付、チャンネルの４つの項目を入力することにより、入力した時点から１週間先までの番組を自動的に検索して一覧表示することができる。
【００７２】
さらに、このデジタルテレビジョン放送受信装置１１は、図９に示した最近録画した番組の一覧表の右側の画面をスクロールさせることにより、図１３に示すように、接続機器の一覧画面を表示させることができる。この接続機器の一覧画面では、各端子２１〜２４に接続されている機器を全て（但し、ブロードバンドルータ３１が接続されている場合はそこまで）一覧表示することができる。
【００７３】
この機器一覧において、第１のＬＡＮ端子２１に対応するＬＡＮ１には、それがＬＡＮ対応ＨＤＤ専用ポートであることを示すアイコンが付され、第２のＬＡＮ端子２２に対応するＬＡＮ２には、それが一般的なＬＡＮ対応ポートであることを示すアイコンが表示されている。
【００７４】
そして、この接続機器の一覧表示画面から、所望のデジタル記録機器をカーソルキー１７ｆで選択し決定キー１７ｇで決定すると、図１４に示すように、その選択決定されたデジタル記録機器に記録されている番組の一覧がライブラリとして表示される。
【００７５】
また、このライブラリ画面の表示状態で、リモートコントローラ１７の黄色のカラーキー１７ｍを操作すると、図１２に示すようなキーワード検索画面が表示される。そして、このキーワード検索画面で、ジャンル、キーワード、日付、チャンネルの４つの項目を入力すると、図１５に示すように、選択決定されたデジタル記録機器に記録されている番組の中から、検索条件に対応した番組が検索されて一覧表示される。
【００７６】
本発明に係わる放送受信装置は、さらにフォルダ管理機能を有する。たとえば、図１３のような状態からユーザは任意のデジタル記録機器を選択できる。そして、図１４に示したように、選択したデジタル記録機器に記録されている番組の一覧を示すライブラリを表示させることができる。またこの状態から、図１５に示したように、検索条件に対応した番組をも表示することができる。
【００７７】
ここで、放送受信装置は、たとえばライブラリ表示では取り扱うことができるファイル及びフォルダを表示する。取り扱うことができるファイル及びフォルダとは、そこのファイルを映像処理部５５、音声処理部５３で処理可能なデータを含むファイルのことである。ライブラリ表示は、たとえば制御部５６内のライブラリ表示処理部の動作で実行される。またフォルダに関連して、制御部５６内には、フォルダを新しく作成する、またフォルダを削除するためのフォルダ処理部が設けられている。またフォルダ内にどのようなファイルが存在するかをチェックするフォルダ内チェック部が設けられている。フォルダ内チェック部についてはさらに後述する。
【００７８】
ユーザは、フォルダ処理機能を利用して、所望の番組を一まとめにするフォルダを作り、このフォルダに好みの番組を格納することも可能である。さらには、フォルダ内にさらに下位の階層のフォルダを作成することも可能である。そして各フォルダ内に所望のファイルを格納することが可能である。これらはファイルのムーブ機能が利用される。
【００７９】
たとえば図１０の例は、写真１−１１とフォルダ１が混在して存在することを表している。そしてこの写真１−１１とフォルダ１は、上位の階層のフォルダ（０４０４２８＿ヨーロッパ旅行記録）というフォルダに格納されていることを示している。また記録媒体は、SDメモリカードであることを示している。
【００８０】
さらに図１６には、LAN１に接続されたハードディスクに記録されているファイル及びフォルダのライブラリが表示された様子を示している。ここでは、フォルダ名「My  Video」が開かれた様子を示している。
【００８１】
そしてこのフォルダ名「My  Video」の中には、さらにフォルダ名「スポーツ関連」というフォルダと、フォルダ名「映画など」というフォルダが存在することを示している。さらにこれらのフォルダと一緒に複数の番組のファイルが表示されている。各ファイルの番組名としてたとえば「今日の出来事＆SPORTS  MAX」、「そのとき歴史が動いた」、「スポーツMIX「サッカーワールドカップ予選結果」」、「MLBメジャーリーグ・ベースボール」が表示されている。
【００８２】
ここで、たとえば、番組名（ファイル名）「そのとき歴史が動いた」は、他のファイル名に比べてトーンダウンしている（図面ではトーンダウン表現が困難なために、点々を付加して示している）。これは、このファイルは、たとえば移動により他のデジタル記録機器に移されており、取り出して映像処理部では取り扱うことができないものであることを意味する。
【００８３】
この実施の形態におけるデジタル放送受信装置は、図1及び図２で説明したように、多数の外部機器と関連されている。このために、たとえば先のフォルダ（フォルダ名「スポーツ関連」）には、PCによる入力情報が存在する場合がある。たとえばPCからワードファイル、テキストファイル、アプリケーションファイルなどが入力され、たとえば先のフォルダ（「スポーツ関連」）に格納されることもある。たとえばスポーツのルール、スポーツゲームのアプリケーション、選手の履歴などを、スポーツ関連ビデオと一緒に保存することもある。
【００８４】
一方では、本実施形態におけるデジタル放送受信装置は、ライブラリ表示では取り扱うことができるファイル及びフォルダを表示するという前提がある。また、フォルダをフォルダ単位で削除できる機能も設けられている。したがって、ライブラリ表示した場合には、当然先のフォルダ（「スポーツ関連」）が表示される。そこで、ユーザがフォルダ（たとえば先のフォルダ名「スポーツ関連」）を削除指定することがある。
【００８５】
このとき、本デジタル放送受信装置では、フォルダ内ファイルチェック機能が働き、フォルダ内にこのデジタル放送受信装置では取り扱うことができないファイルが存在するかどうかをチェックする。  この例では、ワードファイル、テキストファイル、アプリケーションファイルがフォルダ（「スポーツ関連」）に格納されている。
【００８６】
このためにチェック機能は、フォルダ（「スポーツ関連」）内に、このデジタル放送受信装置では取り扱うことができないファイルが存在することを認識する。すると、たとえば、図１６  に示す状態で、フォルダ（「スポーツ関連」）をカーソルで選択し決定ボタンを押し、次に、「削除実行」ボタンを選択し、決定ボタンを押したとする。
【００８７】
すると、図１７に示すように、警告表示が現れる。ここで、警告の内容としては、種々可能であるが、例えば“  削除しようとするフォルダには、本装置とは別の装置で扱われるファイルが含まれています。削除しますか？  「する」、「しない」、「チェック」”というようなメッセージが現れる。
【００８８】
ユーザが、カーソルで「する」を選択すれば、フォルダ全体の削除が実効され、「しない」を選択すれば、削除処理が中止されて、図１６の表示状態に戻り、「チェック」を選択すると、削除が一旦中止され、削除しようとするフォルダ内のファイルがライブラリ表示される。
【００８９】
図１８には、上記の警告表示に至るまでの制御部５６における制御動作をフローで示している。図１６に示した表示画面において、削除しようとするファイル選択が行われ、次に削除実効ボタンが操作される（ステップ18S1、18S2）。すると選択したフォルダ内の各ファイルのチェックが開始される。このとき、例えばファイルヘッダの属性情報がチェックされる。属性情報は、デジタル放送受信装置で再生可能なファイルを示しているかどうか判定される。（ステップ18S3、18S4）。全てがデジタル放送受信装置で再生可能なファイルであれば、終了する（ステップ18S5）。  デジタル放送受信装置で再生できないファイルが存在すると、警告表示となる（ステップ18S６）。ここで、ユーザは、画面を見ながら、削除を実行するのか、削除を中止するのか、あるいはフォルダ内のファイルを確認するのかを決めることができる（ステップ18S７−18S10）。  
上記した実施形態の説明では、フォルダ管理機能は、１つのデジタル記録機器に記録されている複数のファイルから選択されたものを、１つあるいは２つのフォルダに収集して、管理するものとして説明した。しかしこの方式に限らず、複数のデジタル記録機器に記録されている複数のファイルから選択されたものを、特定のデジタル記録機器に用意されたフォルダに格納する方式であってもよい。
【００９０】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００９１】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置がデジタル記録機器に番組を記録する動作を説明するために示すフローチャート。
【図５】同実施の形態におけるデジタルテレビジョン放送受信装置の記録動作時に表示される番組表の一例を説明するために示す図。
【図６】同実施の形態におけるデジタルテレビジョン放送受信装置がデジタル記録機器から番組を再生する動作を説明するために示すフローチャート。
【図７】同実施の形態におけるデジタルテレビジョン放送受信装置の再生動作時に表示されるナビゲーションメニューの一例を説明するために示す図。
【図８】同実施の形態におけるナビゲーションメニューから録画番組の項目を選択した状態を説明するために示す図。
【図９】同実施の形態におけるナビゲーションメニューから得られる最近録画した番組の一覧表示画面の一例を説明するために示す図。
【図１０】同実施の形態におけるデジタルテレビジョン放送受信装置の写真再生機能を説明するために示す図。
【図１１】同実施の形態におけるデジタルテレビジョン放送受信装置のお好み番組一覧表示画面の一例を説明するために示す図。
【図１２】同実施の形態におけるデジタルテレビジョン放送受信装置のキーワード検索画面の一例を説明するために示す図。
【図１３】同実施の形態におけるデジタルテレビジョン放送受信装置の接続機器一覧表示画面の一例を説明するために示す図。
【図１４】同実施の形態におけるデジタルテレビジョン放送受信装置の特定の接続機器に記録された番組の一覧表示画面の一例を説明するために示す図。
【図１５】同実施の形態におけるデジタルテレビジョン放送受信装置の特定の接続機器に記録された番組のうちキーワード検索された番組の一覧表示画面の一例を説明するために示す図。
【図１６】同実施の形態におけるデジタルテレビジョン放送受信装置の特徴的な動作の一例を説明するために示した表示画面の説明図。
【図１７】同実施の形態におけるデジタルテレビジョン放送受信装置の特徴的な動作の例を説明するために示した表示画面の説明図。
【図１８】同実施の形態におけるデジタルテレビジョン放送受信装置の特徴的な動作の一例を説明するために示したフローチャート。
【符号の説明】
【００９２】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６０…カードＩ／Ｆ、６１…カードホルダ、６２…カードＩ／Ｆ、６３…カードホルダ、６４…通信Ｉ／Ｆ、６５…通信Ｉ／Ｆ、６６…ＵＳＢ Ｉ／Ｆ、６７…ｉ．Link Ｉ／Ｆ。
【図１】
2006073159.tif 000003
【図２】
2006073159.tif 000004
【図３】
2006073159.tif 000005
【図４】
2006073159.tif 000006
【図５】
2006073159.tif 000007
【図６】
2006073159.tif 000008
【図７】
2006073159.tif 000009
【図８】
2006073159.tif 000010
【図９】
2006073159.tif 000011
【図１０】
2006073159.tif 000012
【図１１】
2006073159.tif 000013
【図１２】
2006073159.tif 000014
【図１３】
2006073159.tif 000015
【図１４】
2006073159.tif 000016
【図１５】
2006073159.tif 000017
【図１６】
2006073159.tif 000018
【図１７】
2006073159.tif 000019
【図１８】
2006073159.tif 000020